(57)【要約】【課題】建物内における音環境を調整し、その結果、建物内に快適な居住環境を形成することが可能な音環境調整システムを提供することを目的とする。【解決手段】建物１内の音環境を調整するための音環境調整システムが、建物１内に設置され、建物１内の音環境を調整するための音を出力する音出力手段である各スピーカー１１，１２，１３，１４，１５，１６，１７，３１ａ，３２ａ，３３ａを備える。これにより、当該音出力手段によって建物１内の音環境を適切に調整でき、その結果、建物１内における快適な居住環境を形成することが可能となる。【選択図】図１
2015043480.tif 000002
【特許請求の範囲】
【請求項１】
建物内の音環境を調整するための音環境調整システムであって、
前記建物内に設置され、前記建物内の音環境を調整するための音を出力する音出力手段を備えることを特徴とする音環境調整システム。
【請求項２】
請求項１に記載の音環境調整システムにおいて、
前記音出力手段は指向性を有するスピーカーであり、
当該スピーカーは、前記建物内の一室の所定の場所に指向するようにして配置されていることを特徴とする音環境調整システム。
【請求項３】
請求項１または２に記載の音環境調整システムにおいて、
周囲の音を入力する音入力手段をさらに備えており、
前記音出力手段はスピーカーであり、当該音出力手段は、前記音入力手段によって入力された音を、前記建物内に残響音として出力するように設定されていることを特徴とする音環境調整システム。
【請求項４】
請求項１〜３のいずれか一項に記載の音環境調整システムにおいて、
前記音出力手段はスピーカーであり、当該音出力手段は、前記建物内に、周囲の音を撹乱して聞き取りにくくする撹乱音を出力するように設定されていることを特徴とする音環境調整システム。
【請求項５】
請求項１〜４のいずれか一項に記載の音環境調整システムにおいて、
前記音出力手段はスピーカーであり、当該音出力手段は、前記建物内に、周囲の音の逆位相音を出力するように設定されていることを特徴とする音環境調整システム。
【請求項６】
請求項１〜５のいずれか一項に記載の音環境調整システムにおいて、
前記音出力手段は、前記建物内に設けられる複数の部屋のうち、少なくとも居室内に設けられていることを特徴とする音環境調整システム。
【請求項７】
請求項１〜６のいずれか一項に記載の音環境調整システムにおいて、
前記音出力手段と、周囲の音を入力する音入力手段とを含んで構成され、互いに通信可能に接続された複数の通信設備をさらに備えており、
当該複数の通信設備は、前記建物内の一室と、当該一室の外部にある他の室とにそれぞれ配置されていることを特徴とする音環境調整システム。
【発明の詳細な説明】
【技術分野】
【０００１】
本発明は、住宅等の建物に導入される音環境調整システムに関する。
【背景技術】
【０００２】
近年、住宅等の建物における居住環境の快適性が求められており、例えば、建物内に設置された空調装置および照明装置を制御対象として動作制御を行う空調照明システムが知られている（例えば特許文献１）。このようなシステムでは、建物内の温度情報を取得しその取得した温度情報に基づいて空調装置を制御したり、建物内の照度情報を取得しその取得した照度情報に基づいて照明装置を制御したりする。そして、このように各装置の制御を行うことで、建物内を適切な温度や照度に管理、調整することができ、その結果、快適な居住環境の形成が可能となっている。
【先行技術文献】
【特許文献】
【０００３】
【特許文献１】特開２００９−２６５９７２号公報
【発明の概要】
【発明が解決しようとする課題】
【０００４】
ところで、建物内に快適な居住環境を形成する上で、温度や照度に係る環境の快適性もさることながら、音に係る環境（以下、音環境）が快適であることも重要視されている。すなわち、音は自然に耳に入るものであるため、例えば生活音の遮断や、音による空間演出等によって居住環境の快適性の向上が図れるようになっている。このため、建物内の音環境を適切に調整できる技術の開発が望まれていた。
【０００５】
本発明の課題は、建物内における音環境を調整し、その結果、建物内に快適な居住環境を形成することが可能な音環境調整システムを提供することを目的とする。
【課題を解決するための手段】
【０００６】
請求項１に記載の発明は、例えば図１〜図３に示すように、建物１内の音環境を調整するための音環境調整システムであって、
前記建物１内に設置され、前記建物１内の音環境を調整するための音を出力する音出力手段（例えば第一スピーカー１１等）を備えることを特徴とする。
【０００７】
ここで、音環境とは、建物１内に発生し得る音に係る環境を指しており、いわゆる生活音と呼称される音が大部分を占める。また、生活音とは、建物１内の日常生活において発生する音であり、例えば足音、話し声、調理中の音、ドアの開閉音、洗濯機や掃除機などの使用音、テレビやステレオなどの音等を指す。
また、音環境を構成する音は、このような生活音だけでなく、例えばイベント（接客やパーティ等）時に発生する音や、在宅勤務時に発生する音等、建物１内における全ての音を包括的に含むものとする。
【０００８】
請求項１に記載の発明によれば、前記建物１内に設置され、前記建物１内の音環境を調整するための音を出力する音出力手段（例えば第一スピーカー１１等）を備えるので、当該音出力手段によって前記建物１内の音環境を適切に調整でき、その結果、前記建物１内における快適な居住環境を形成することが可能となる。
【０００９】
請求項２に記載の発明は、例えば図１，図２に示すように、請求項１に記載の音環境調整システムにおいて、
前記音出力手段は指向性を有するスピーカー１１，１２，１３であり、
当該スピーカー１１，１２，１３は、前記建物１内の一室（例えば居室２）の所定の場所（例えば領域Ａ１，Ａ２，Ａ３）に指向するようにして配置されていることを特徴とする。
【００１０】
請求項２に記載の発明によれば、指向性を有する前記スピーカー１１，１２，１３が、前記建物１内の一室（例えば居室２）の所定の場所（例えば領域Ａ１，Ａ２，Ａ３）に指向するようにして配置されているので、前記一室を、前記スピーカー１１，１２，１３から出力される音が聞こえる場所と、聞こえない場所とに分けることができる。換言すれば、前記スピーカー１１，１２，１３から出力される音が聞こえる範囲を制御することができる。
これによって、前記スピーカー１１，１２，１３から出力される音を、聞きたい人にだけ聞こえるようにして前記建物１内の音環境を調整できるので、前記建物１内における快適な居住環境を形成することが可能となる。
【００１１】
請求項３に記載の発明は、例えば図１，図２に示すように、請求項１または２に記載の音環境調整システムにおいて、
周囲の音を入力する音入力手段（例えば第一マイクロフォン２１等）をさらに備えており、
前記音出力手段はスピーカー１４であり、当該音出力手段は、前記音入力手段によって入力された音を、前記建物１内に残響音として出力するように設定されていることを特徴とする。
【００１２】
請求項３に記載の発明によれば、前記スピーカー１４は、前記音入力手段（例えば第一マイクロフォン２１等）によって入力された音を、前記建物１内に残響音として出力するように設定されているので、例えばパーティや音楽・映画鑑賞等、前記建物１内で繰り広げられる場面（シーン）ごとに残響音をコントロールでき、前記建物１内を、普段とは異なる印象の空間として演出することができる。
これによって、前記スピーカー１４から出力される残響音による演出効果で前記建物１内の音環境を調整できるので、前記建物１内における快適な居住環境を形成することが可能となる。
【００１３】
請求項４に記載の発明は、例えば図１，図２に示すように、請求項１〜３のいずれか一項に記載の音環境調整システムにおいて、
前記音出力手段はスピーカー１５，１６であり、当該音出力手段は、前記建物１内に、周囲の音を撹乱して聞き取りにくくする撹乱音を出力するように設定されていることを特徴とする。
【００１４】
請求項４に記載の発明によれば、前記スピーカー１５，１６は、前記建物１内に、周囲の音を撹乱して聞き取りにくくする撹乱音を出力するように設定されているので、周囲の音を聞き取りにくくした空間を形成することができる。
これによって、前記スピーカー１５，１６から出力される撹乱音による所謂マスキング効果で前記建物１内の音環境を調整できるので、前記建物１内における快適な居住環境を形成することが可能となる。
【００１５】
請求項５に記載の発明は、例えば図１，図２に示すように、請求項１〜４のいずれか一項に記載の音環境調整システムにおいて、
前記音出力手段はスピーカー１７であり、当該音出力手段は、前記建物１内に、周囲の音の逆位相音を出力するように設定されていることを特徴とする。
【００１６】
請求項５に記載の発明によれば、前記スピーカー１７は、前記建物１内に、周囲の音の逆位相音を出力するように設定されているので、逆位相音によって周囲の音を打ち消した空間を形成することができる。
これによって、前記スピーカー１７から出力される逆位相音による所謂ノイズキャンセル効果で前記建物１内の音環境を調整できるので、前記建物１内における快適な居住環境を形成することが可能となる。
【００１７】
請求項６に記載の発明は、例えば図１〜図３に示すように、請求項１〜５のいずれか一項に記載の音環境調整システムにおいて、
前記音出力手段（スピーカー１１〜１７）は、前記建物１内に設けられる複数の部屋のうち、少なくとも居室２内に設けられていることを特徴とする。
【００１８】
請求項６に記載の発明によれば、前記音出力手段（スピーカー１１〜１７）は、前記建物１内に設けられる複数の部屋のうち、少なくとも居室２内に設けられているので、様々な音が生じやすい居室２の音環境を調整することができ、その結果、前記居室２内における快適な居住環境を形成することが可能となる。
【００１９】
請求項７に記載の発明は、例えば図１〜図３に示すように、請求項１〜６のいずれか一項に記載の音環境調整システムにおいて、
前記音出力手段（例えばスピーカー３１ａ，３２ａ，３３ａ）と、周囲の音を入力する音入力手段（例えばマイクロフォン３１ｂ，３２ｂ，３３ｂ）とを含んで構成され、互いに通信可能に接続された複数の通信設備３１，３２，３３をさらに備えており、
当該複数の通信設備３１，３２，３３は、前記建物１内の一室（例えば居室２）と、当該一室の外部にある他の室（例えば多目的スペース４、主寝室５）とにそれぞれ配置されていることを特徴とする。
【００２０】
請求項７に記載の発明によれば、前記通信設備３１，３２，３３は、前記建物１内の一室（例えば居室２）と、当該一室の外部にある他の室（例えば多目的スペース４、主寝室５）とにそれぞれ配置されているので、当該通信設備３１，３２，３３を利用して前記建物１内の一室と、前記他の室との間で通信を行うことができる。
これによって、前記建物１内の一室で発生した音を、前記他の室でも聞くことができるので、前記建物１内の一室の外部に、当該室と同様の音環境に調整された空間を形成できることになる。その結果、例えば高齢者や体の不自由な人が前記他の室で生活をしていても、前記建物１内の一室にいる人との間に連帯感を生じさせることができるので、前記他の室にいる人にとって快適な居住環境を形成することが可能となる。さらに、前記通信設備３１，３２，３３を双方向通信させて、前記建物１内の一室と前記他の室との間におけるコミュニケーションツールとしても利用できるので好ましい。
【発明の効果】
【００２１】
本発明によれば、建物内に設置され、建物内の音環境を調整するための音を出力する音出力手段を備えるので、当該音出力手段によって建物内の音環境を適切に調整でき、その結果、建物内における快適な音環境を形成することが可能となる。
【図面の簡単な説明】
【００２２】
【図１】音環境調整システムの構成を示す図である。
【図２】音環境調整システムが導入された建物の一例であり、１階部分を示す平面図である。
【図３】図２に示す建物の２階部分を示す平面図である。
【発明を実施するための形態】
【００２３】
以下、図面を参照して本発明の実施の形態について説明する。なお、図２，図３の紙面上において上が北、下が南、左が西、右が東とされている。
まず、本実施の形態の音環境調整システムが導入される建物１の概要について説明する。
【００２４】
建物１は２階建ての住宅であり、図２，図３に示すように、各階には複数の部屋が配設されている。
１階の中央には南北にわたって居室２が配設されている。当該居室２は、リビングとダイニングとキッチンの機能を一室に併存させた部屋であり、建物１の居住者（家族）が普段いる場所である。
居室２に南東側に隣接して小部屋３が配設されている。当該小部屋３は、例えば在宅ワーク用の勤務室として使用されている。
居室２の西側には玄関と和室が配設され、東側には水廻り（浴室、洗面所、トイレ）と階段が配設され、南側の屋外にはウッドデッキのあるテラスが配設されている。
【００２５】
階段を上がって２階には、多目的スペース４が配設されている。この多目的スペース４は、居住者の所望する目的に応じて仕様を変更することが可能となっており、本実施形態では、子供用の勉強スペースとして機能するようになっている。
多目的スペース４の北側には将来的に間仕切り可能な子供部屋が配設され、南側にはルーフバルコニーが配設され、西側にはトイレが配設されている。
そして、トイレの北側には主寝室５が配設されている。
なお、２階のさらに上には小屋裏空間（図示せず）があり、２階と小屋裏空間とをつなぐ階段が、１階と２階とをつなぐ前記階段に続いて設けられている。
【００２６】
次に、建物１に導入される音環境調整システムの概要について説明する。
【００２７】
本実施の形態における音環境調整システムは、建物１内の音環境を調整するためのものであり、図１に示すように、制御部１０と、音出力手段１１〜１７と、音入力手段２１，２２と、通信設備３１，３２，３３と、操作部４０，４１と、を備える。
なお、通信設備３１，３２，３３は、音出力手段３１ａ，３２ａ，３３ａと、音入力手段３１ｂ，３２ｂ，３３ｂと、を含んで構成される。
ここで、“音環境を調整する”とは、建物１内の音に係る環境を、音出力手段１１〜１７から出力される音で例えば生活音をマスキングしたり、ノイズキャンセルしたりすることによって変化させることを指している。
【００２８】
音出力手段１１〜１７，３１ａ，３２ａ，３３ａは、図２，図３に示すように、建物１内に設置され、建物１内の音環境を調整するための音を出力するものである。そして、当該音出力手段１１〜１７，３１ａ，３２ａ，３３ａは、建物１内に設けられる複数の部屋のうち、少なくとも居室２内に設けられている。
制御部１０は、このような音出力手段１１〜１７，３１ａ，３２ａ，３３ａからの音の出力を制御するものであり、図示はしないが、本実施の形態においては例えば小型のコンピューターによって構成されている。当該コンピューターは、ＣＰＵ、記憶部（ＲＡＭ、ＲＯＭ、不揮発性メモリ、ハードディスクドライブ等）、通信ユニット、入出力インターフェース、表示部（例えば、液晶ディスプレイまたはＥＬディスプレイ）および操作部４０，４１等を有する。なお、コンピューターは筺体に収納されており、居室２等の壁に取り付けられている。そして、制御部１０は、建物１内の各所に配置される音出力手段１１〜１７，３１ａ，３２ａ，３３ａや音入力手段２１，２２，３１ｂ，３２ｂ，３３ｂと通信可能に接続されている。
また、記憶部には、建物１内の音環境を調整するための音を出力するために必要な各種プログラムが格納されており、そのプログラムに従って各種の処理を実行できるように設定されている。
また、表示部はコンピューターの筺体の外側に露出して設けられており、当該表示部には、音出力手段１１〜１７，３１ａ，３２ａ，３３ａの現在の作動状態を表示できる。すなわち、いずれの音出力手段１１〜１７，３１ａ，３２ａ，３３ａが作動しているか等がすぐに視認できる。
【００２９】
操作部は、操作ボタン４０と、センサー４１とを備える。
操作ボタン４０は、例えば、スピーカーを作動させたり、スピーカーを切り替えたりする際の操作に用いられるものであり、ボタン操作によって制御部１０に対して指示を送ることができる。このような操作ボタン４０は、コンピューターの筺体の外側に露出して設けられているものとする。
センサー４１は、例えば、スピーカーを作動させたり、スピーカーを切り替えたりする際の操作に用いられる距離センサーであり、ジェスチャー等によって制御部１０に対して指示を送ることができる。このようなセンサー４１によれば、例えば寝たきり状態の移動が難しい人でも制御部１０に対して指示を送ることができる。
なお、図示はしないが、別途リモコンや、無線通信端末等を用いて制御部１０に対して指示を送れるようにしてもよいものとする。すなわち、音環境調整システム自体を遠隔操作可能としてもよい。
【００３０】
音出力手段１１〜１７，３１ａ，３２ａ，３３ａは、すなわち電気音響変換器であり、本実施の形態においては各種スピーカーが採用されている。ただし、これに限られるものではなく、小型のレシーバ等のようなスピーカー以外の電気音響変換器を採用してもよいものとする。
本実施の形態の音出力手段は、第一スピーカー１１と、第二スピーカー１２と、第三スピーカー１３と、第四スピーカー１４と、第五スピーカー１５と、第六スピーカー１６と、第七スピーカー１７と、第一通信設備３１に備えられるスピーカー３１ａと、第二通信設備３２に備えられるスピーカー３２ａと、第三通信設備３３に備えられるスピーカー３３ａと、である。
【００３１】
また、本実施の形態の音環境調整システムは、周囲の音を入力する音入力手段をさらに備える。当該音入力手段は、前記音出力手段の各種スピーカーのうち、対応するスピーカーと組み合わせて用いられる。この音入力手段としては、音を電気信号に変換する各種マイクロフォンが採用されている。
本実施の形態の音入力手段は、第一マイクロフォン２１と、第二マイクロフォン２２と、第一通信設備３１に備えられるマイクロフォン３１ｂと、第二通信設備３２に備えられるマイクロフォン３２ｂと、第三通信設備３３に備えられるマイクロフォン３３ｂと、である。
【００３２】
次に、以上のような音出力手段について詳細に説明する。
【００３３】
第一スピーカー１１と、第二スピーカー１２と、第三スピーカー１３は、指向性を有するスピーカーである。そして、これらスピーカー１１，１２，１３は、建物１内の所定の場所に指向するようにして配置されている。
なお、これらスピーカー１１，１２，１３の出力範囲（後述する領域Ａ１，Ａ２，Ａ３の広さ）は、適宜調整可能とされている。
【００３４】
第一スピーカー１１は、居室２内のリビング部分における一つの領域Ａ１を指向するようにして配置されている。
すなわち、リビング部分にはテレビ２ａが設置されている。そして、当該テレビ２ａと第一スピーカー１１とを接続し、テレビ２ａから発生する音を第一スピーカー１１から出力することによって、前記領域Ａ１以外の場所に、テレビ２ａから発生する音を聞こえないように（聞こえにくく）することができる。
また、第一スピーカー１１とテレビ２ａとを接続するだけでなく、その他のオーディオ機器（音響機器）等を接続してもよい。
【００３５】
第二スピーカー１２は、居室２内のダイニング部分における一つの領域Ａ２を指向するようにして配置されている。
すなわち、ダイニング部分にはダイニングテーブル２ｂが設置されている。そして、当該ダイニングテーブル２ｂの上方に、図示しないオーディオ機器と接続された第二スピーカー１２が設置されている。例えば天井に設置されているものとする。
オーディオ機器から発生する音を第二スピーカー１２から出力することによって、前記領域Ａ２以外の場所に、オーディオ機器から発生する音を聞こえないように（聞こえにくく）することができる。なお、例えばオーディオ機器から音楽を流せば、音楽を聴きながらダイニング部分で寛いだり、食事をしたりすることができる。
また、第二スピーカー１２とオーディオ機器とを接続するだけでなく、テレビ２ａと接続されていてもよいものとする。第二スピーカー１２がテレビ２ａと接続されていれば、テレビ２ａを見ながら、ダイニング部分で寛いだり、食事をしたりすることができる。
【００３６】
第三スピーカー１３は、居室２内のダイニング部分における一つの領域Ａ３を指向するようにして配置されている。
すなわち、ダイニング部分には勉強机２ｃが設置されている。そして、当該ダイニングテーブル２ｂの上方に、図示しないオーディオ機器と接続された第二スピーカー１２が設置されている。例えば天井や壁に設置されているものとする。
オーディオ機器から発生する音を第三スピーカー１３から出力することによって、前記領域Ａ３以外の場所に、オーディオ機器から発生する音を聞こえないように（聞こえにくく）することができる。なお、例えばオーディオ機器から音楽を流せば、音楽を聴きながら勉強することができ、英語のリスニング教材の音声を流せば、英語のリスニングの勉強を行うことができる。
【００３７】
第一〜第三スピーカー１１，１２，１３によっては様々なメリットが挙げられる。例えば同じ空間に人を集める効果がある。また、壁で遮断せずに人の気配を感じながら音の聞こえる範囲を設定することができる。さらに、勉強や仕事等に利用すれば、集中できる環境を形成しやすい。
以上のようなメリットを鑑みると、第一〜第三スピーカー１１，１２，１３によっては「音のゾーニング」が可能となり、居室２のように複数の領域（例えばリビング、ダイニング、キッチン）を併せ持つ一体空間において優れた効果を発揮することができる。
【００３８】
第四スピーカー１４は、居室２内のリビング部分であり、かつ居室２の略中央に設置されている。例えば天井に設置されているものとする。
そして、当該第四スピーカー１４は、第一マイクロフォン２１と組み合わせて用いられる。すなわち、第四スピーカー１４は、第一マイクロフォン２１によって入力された音を、居室２内に残響音として調整可能に出力するように設定されている。なお、第一マイクロフォン２１も、第四スピーカー１４と同様に天井に設置されているものとする。
なお、残響音とは、残響またはリバーブ（reverberation）とも呼ばれ、音源が発音を停止した後も音が響いて聞こえる現象である。音波が壁等に衝突し跳ね返ってくる現象である反響が、連続的また繰り返し生じた結果が残響とされている。
また、第一マイクロフォン２１によって入力された音から残響成分を抽出するために、前記記憶部には専用のプログラムが格納されている。
【００３９】
このように第四スピーカー１４から残響音を出力すれば、音が広がる感覚を居住者に付与できる。また、それだけでなく、音の広がる感覚によって広々とした空間を想起させる場合があるので、狭い空間を広い空間に感じさせる効果を発揮することが可能となる。特に、音楽鑑賞時や映画鑑賞時、音楽演奏時、パーティ時等のような所謂「ハレ」の日に、その場面を盛り上げる効果をもたらすことができる。例えば、音楽演奏時には、第一マイクロフォン２１によってその音楽の音を拾い、第四スピーカー１４から残響音として出力できる。
なお、居室２を無響室に近い状態としておくとともに、普段から残響音をコントロールするようにしてもよい。すなわち、普段は残響のレベルを他の部屋と同等となるようにコントロールしておく。そして、例えば前記「ハレ」の日等に残響音の出力を高めて、その場面を盛り上げるように演出したり、例えば接客時や家族会議等を行う際に残響音の出力を下げて（または無くして）会話の親密性を向上させたりすることができる。
以上の点を鑑みれば、第四スピーカー１４によっては「残響音コントロール」が可能となり、人の集まる場所や、音響効果を高めたい場所において優れた効果を発揮することができる。
【００４０】
第五スピーカー１５と、第六スピーカー１６は、建物１内に、周囲の音を撹乱して聞き取りにくくする撹乱音を出力するように設定されている。すなわち、図示しないオーディオ機器と接続されており、オーディオ機器から発生する音（撹乱音）を、第五スピーカー１５と第六スピーカー１６から出力することができる。
なお、撹乱音とは、所謂マスキング効果に係る技術において使われる音であり、当該マスキング効果とは、同時に異なる二つの音波が耳に届くときに弱い音波が強い音波に打ち消されてしまう現象を指している。
より具体的には、人間の耳の機能には一定音量の音が聞こえている状況下では感度が低下し、小さな音が聞こえなくなるという特性がある。マスキング効果は、このような特性を応用したものであり、低レベルの音声を流すことにより、他の音や音漏れを相殺することができる。すなわち、撹乱音とは、当該マスキング効果に利用される低レベルの音声を指している。第五スピーカー１５と第六スピーカー１６からは、例えば空調音と識別できない４５ｄＢ程度の特殊な音声が撹乱音として出力される。
【００４１】
第五スピーカー１５は、居室２内のリビング部分であり、かつ小部屋３の出入口近傍に設置されている。例えば天井に設置されているものとする。勤務室である小部屋３では、単に机に向かう作業だけでなく、Ｗｅｂ会議や勤務に係る電話等が行われる。
そして、当該第五スピーカー１５から撹乱音を出力すれば、小部屋３で勤務している人の声が居室２にいても聞き取りにくくなる。すなわち、Ｗｅｂ会議や電話の声が居室２にいても聞き取りにくくなる。これによって、在宅勤務時の情報漏洩を防止したり、同居する家族に会話が聞こえないように配慮したりすることができる。
一方、第六スピーカー１６は、小部屋３内の例えば天井に設置されている。
そして、当該第六スピーカー１６から撹乱音を出力すれば、居室２にいる人の声や生活音が小部屋３にいても聞き取りにくくなる。すなわち、Ｗｅｂ会議や電話の最中であっても居室２からの声や生活音が届きにくくなる。これによって、勤務空間の快適性を向上させたり、同居する家族に気を使わせないようにしたりすることができる。
【００４２】
以上の点を鑑みれば、第五スピーカー１５および第六スピーカー１６によっては、「音のセキュリティマスク」、「勤務室用ノイズキャンセル」とも言うべき機能を発揮することができる。すなわち、音のマスキング効果によってセキュリティを高めたり、勤務に適した空間を形成したりすることができる。
【００４３】
第七スピーカー１７は、建物１内に、周囲の音の逆位相音を出力するように設定されている。この第七スピーカー１７は、第二マイクロフォン２２と組み合わせて用いられる。すなわち、第七スピーカー１７は、第二マイクロフォン２２によって入力された音を、建物１内に逆位相音として調整可能に出力するように設定されている。
なお、第七スピーカー１７から出力される逆位相音とは、第二マイクロフォン２２によって入力された音に対して位相のみが逆となった音である。そして、第二マイクロフォン２２によって入力される音の音源と、第七スピーカー１７から出力される音とを合わせることによって音波干渉が生じ、互いに打ち消し合う現象が起きる。
【００４４】
第七スピーカー１７および第二マイクロフォン２２は、居室２内のキッチン部分に設置されている。例えば天井に設置されているものとする。
そして、例えば調理中に発生する音を、第二マイクロフォン２２で拾い、第七スピーカー１７から逆位相音として出力することができる。これによって、調理中の音をノイズキャンセリングすることができるので、キッチン部分からダイニングまたはリビングへの声が届きやすくなり、コミュニケーションが取りやすくなる。
なお、第二マイクロフォン２２によって入力された音を、逆位相音とするために、前記記憶部には専用のプログラムが格納されている。
【００４５】
なお、第七スピーカー１７は、本実施の形態においては第二マイクロフォン２２と組み合わせて用いられるものとしたが、これに限られるものではない。
例えば、所謂消音スピーカーのように、マイクロフォンを利用せずともノイズキャンセル機能を発揮するスピーカーを用いるようにしてもよい。消音スピーカーを用いる場合は、音源を音としてマイクロフォンで拾うのではなく、アンプ自体から電気的に得ることができる。すなわち、第七スピーカー１７が用いられる場所に応じて、第二マイクロフォン２２と組み合わせてもよいし、消音スピーカーのようにマイクロフォンを用いないスピーカーを採用してもよい。
【００４６】
以上の点を鑑みれば、第七スピーカー１７によるノイズキャンセル技術によって、上述のようにコミュニケーションが取りやすくなるため、例えば共働き家庭等で、在宅時間が短く忙しい親と子供または配偶者同士（すなわち家族間）の会話時間を確保することができる。
【００４７】
第一〜第三通信設備３１，３２，３３は、上述のように、音出力手段３１ａ，３２ａ，３３ａと、音入力手段３１ｂ，３２ｂ，３３ｂと、を含んで構成されるものであり、互いに通信可能とされている。なお、このような通信設備３１，３２，３３は、例えばトランシーバー（無線機）等のように筺体に各種部品が内蔵された一つの機器として取り扱えるものであってもよいし、音出力手段と音入力手段とが別体として取り扱われるものであってもよい。通信方法も無線であってもよいし、有線であってもよく、特に限定されるものではない。
当該通信設備３１，３２，３３における音出力手段３１ａ，３２ａ，３３ａは、第一〜第七スピーカー１１〜１７と同様にスピーカーであり、音入力手段３１ｂ，３２ｂ，３３ｂはマイクロフォンである。
また、複数の通信設備３１，３２，３３は、前記建物１内の一室と、当該一室の外部にある他の室とにそれぞれ配置されている。本実施の形態においては、図２，図３に示すように、第一通信設備３１は居室２に配置され、第二通信設備３２は多目的スペース４に配置され、第三通信設備３３は主寝室５に配置されている。
【００４８】
第一通信設備３１は、居室２のダイニング部分とキッチン部分と境界部分に設置されている。例えば天井に設置されているものとする。
そして、このような第一通信設備３１によれば、マイクロフォン３１ｂによって周囲の音を入力することができ、他の通信設備３２，３３から伝送される音声を、スピーカー３１ａによって出力することができる。
【００４９】
第二通信設備３２は、多目的スペース４の天井に設置されている。
そして、このような第二通信設備３２によれば、マイクロフォン３２ｂによって周囲の音を入力することができ、他の通信設備３１，３３から伝送される音声を、スピーカー３２ａによって出力することができる。
【００５０】
第三通信設備３３は、主寝室５の天井に設置されている。
そして、このような第三通信設備３３によれば、マイクロフォン３３ｂによって周囲の音を入力することができ、他の通信設備３１，３２から伝送される音声を、スピーカー３３ａによって出力することができる。
【００５１】
また、各通信設備３１，３２，３３は、前記操作部（操作ボタン４０、センサー４１）によって操作が可能となっている。
これによって、例えば、主寝室５を、寝たきり状態の移動が難しい人が使う場合には、寝た状態のままセンサー４１を利用して第三通信設備３３を使用することができる。
すなわち、以上のような各通信設備３１，３２，３３によれば、通常よりも宅内でのコミュニケーションが取りにくい人にとっても快適な居住環境を形成することができるので好ましい。
【００５２】
なお、制御部１０は、各スピーカー１１〜１７、マイクロフォン２１，２２、各通信設備３１，３２，３３と接続されているだけでなく、テレビ２ａやオーディオ機器と通信可能に接続されているものとする。
すなわち、本実施の形態の音環境調整システムを構成する各要素は、全て制御部１０と通信可能に接続されている。そして、各音出力手段による音環境調整を、操作部によって手動で作動させたり、予め設定されたプログラムに従って自動で作動させたりすることができる。
【００５３】
また、各スピーカー１１〜１７は、居室２内の様々な場所に配置されるものとしたが、例えば居室２の四隅等にバランス良く、かつ居室２を囲むようにして配置してもよい。その際は、使用するスピーカーの数や種類を調整してもよいし、スピーカーの向き（角度）を調整できるようにしてもよいものとする。
また、建物１の間取りも、上述のようなものに限られるものではなく、適宜変更可能である。換言すれば、どのような間取りの建物１であっても、本実施の形態の音環境調整システムを採用することができる。
【００５４】
以上のような構成の音環境調整システムによって建物１内の音環境を調整する際は、制御部１０によって音出力手段の制御が行われているので、操作部４０，４１によって適宜指示を送り、各スピーカー１１〜１７から音を出力したり、各マイクロフォン２１，２２によって音を入力したりする。
また、各通信設備３１，３２，３３は、常に起動しておくようにして居室２と他の部屋４，５との間でコミュニケーション可能な状態を維持するようにしてもよい。
【００５５】
本実施の形態によれば、建物１内に設置され、当該建物１内の音環境を調整するための音を出力する音出力手段である第一スピーカー１１等を備えるので、当該音出力手段によって建物１内の音環境を適切に調整でき、その結果、建物１内における快適な居住環境を形成することが可能となる。
【００５６】
また、指向性を有する第一〜第三スピーカー１１〜１３が、居室２の各領域Ａ１，Ａ２，Ａ３に指向するようにして配置されているので、居室２を、各スピーカー１１，１２，１３から出力される音が聞こえる場所と、聞こえない場所とに分けることができる。換言すれば、各スピーカー１１，１２，１３から出力される音が聞こえる範囲を制御することができる。
これによって、各スピーカー１１，１２，１３から出力される音を、聞きたい人にだけ聞こえるようにして建物１内の音環境を調整できるので、建物１内における快適な居住環境を形成することが可能となる。
【００５７】
また、第四スピーカー１４は、第一マイクロフォン２１によって入力された音を、建物１内に残響音として出力するように設定されているので、例えばパーティや音楽・映画鑑賞等、建物１内で繰り広げられる場面（シーン）ごとに残響音をコントロールでき、建物１内を、普段とは異なる印象の空間として演出することができる。
これによって、第四スピーカー１４から出力される残響音による演出効果で建物１内の音環境を調整できるので、建物１内における快適な居住環境を形成することが可能となる。
【００５８】
また、第五スピーカー１５，第六スピーカー１６は、建物１内に、周囲の音を撹乱して聞き取りにくくする撹乱音を出力するように設定されているので、周囲の音を聞き取りにくくした空間を形成することができる。
これによって、第五スピーカー１５，第六スピーカー１６から出力される撹乱音による所謂マスキング効果で建物１内の音環境を調整できるので、建物１内における快適な居住環境を形成することが可能となる。
【００５９】
また、第七スピーカー１７は、建物１内に、周囲の音の逆位相音を出力するように設定されているので、逆位相音によって周囲の音を打ち消した空間を形成することができる。
これによって、第七スピーカー１７から出力される逆位相音による所謂ノイズキャンセル効果で建物１内の音環境を調整できるので、建物１内における快適な居住環境を形成することが可能となる。
【００６０】
また、各スピーカー１１〜１７は、建物１内に設けられる複数の部屋のうち、少なくとも居室２内に設けられているので、様々な音が生じやすい居室２の音環境を調整することができ、その結果、居室２内における快適な居住環境を形成することが可能となる。
【００６１】
また、第一〜第三通信設備３１，３２，３３は、居室２と、当該居室２の外部にある多目的スペース４、主寝室５とにそれぞれ配置されているので、当該各通信設備３１，３２，３３を利用して居室２と、多目的スペース４および主寝室５との間で通信を行うことができる。
これによって、居室２で発生した音を、多目的スペース４および主寝室５でも聞くことができるので、居室２の外部に、当該居室２と同様の音環境に調整された空間を形成できることになる。その結果、例えば高齢者や体の不自由な人が例えば主寝室５で生活をしていても、居室２にいる人との間に連帯感を生じさせることができるので、主寝室５にいる人にとって快適な居住環境を形成することが可能となる。さらに、各通信設備３１，３２，３３を双方向通信させて、居室２と多目的スペース４および主寝室５との間におけるコミュニケーションツールとしても利用できるので好ましい。
【符号の説明】
【００６２】
１  建物
２  居室
１１  第一スピーカー
１２  第二スピーカー
１３  第三スピーカー
１４  第四スピーカー
１５  第五スピーカー
１６  第六スピーカー
１７  第七スピーカー
２１  第一マイクロフォン
２２  第二マイクロフォン
３１ａ  スピーカー
３２ａ  スピーカー
３３ａ  スピーカー
【図１】
2015043480.tif 000003
【図２】
2015043480.tif 000004
【図３】
2015043480.tif 000005